【手続補正書】
【提出日】平成26年7月22日(2014.7.22)
【手続補正１】
【補正対象書類名】特許請求の範囲
【補正対象項目名】全文
【補正方法】変更
【補正の内容】
【特許請求の範囲】
【請求項１】
レンジング領域の中において、複数の無線送受信ユニット（ＷＴＲＵ）の各々から、ランダムアクセス（ＲＡ）要求を受信するよう構成された受信ユニットと、
前記レンジング領域の中において、前記複数の無線送受信ユニット（ＷＴＲＵ）の各々から受信された前記ＲＡ要求を復号し、ならびに、
前記レンジング領域の中において成功裏に受信されおよび成功裏に復号された前記ＲＡ要求のすべてへの応答を含んでいる集約ＲＡ応答メッセージを生成するよう構成された処理ユニットと、
前記集約ＲＡ応答メッセージを送信するよう構成された送信ユニットと
を備えたことを特徴とする基地局（ＢＳ）。
【請求項２】
前記レンジング領域の中において前記複数のＷＴＲＵの各々から受信された前記ＲＡ要求の少なくとも１つは、初期レンジングコードであることを特徴とする請求項１に記載のＢＳ。
【請求項３】
前記レンジング領域の中において前記複数のＷＴＲＵの各々から受信された前記ＲＡ要求の少なくとも１つは、ハンドオーバ（ＨＯ）レンジングコードであることを特徴とする請求項１に記載のＢＳ。
【請求項４】
前記レンジング領域の中において前記複数のＷＴＲＵの各々から受信された前記ＲＡ要求の少なくとも１つは、初期レンジングコードであり、
前記レンジング領域の中において前記複数のＷＴＲＵの各々から受信された前記ＲＡ要求の少なくとも１つは、ハンドオーバ（ＨＯ）レンジングコードであり、および、
前記集約ＲＡ応答メッセージは、前記初期レンジングコードおよび前記ＨＯレンジングコードのすべてへの応答を含んでいること
を特徴とする請求項１に記載のＢＳ。
【請求項５】
前記レンジング領域は、周期的レンジング領域であることを特徴とする請求項１に記載のＢＳ。
【請求項６】
基地局（ＢＳ）において実施される、ランダムアクセス（ＲＡ）の方法において、
レンジング領域の中において、複数の無線送受信ユニット（ＷＴＲＵ）の各々から、ＲＡ要求を受信するステップと、
前記レンジング領域の中において前記複数のＷＴＲＵの各々から受信された前記ＲＡ要求を復号するステップと、
前記レンジング領域の中において、成功裏に受信されおよび成功裏に復号された前記ＲＡ要求のすべてへの応答を含んでいる集約ＲＡ応答メッセージを生成するステップと、
前記集約ＲＡ応答メッセージを送信するステップと
を備えることを特徴とする方法。
【請求項７】
前記レンジング領域の中において前記複数のＷＴＲＵの各々から受信された前記ＲＡ要求の少なくとも１つは、初期レンジングコードであることを特徴とする請求項６に記載の方法。
【請求項８】
前記レンジング領域の中において前記複数のＷＴＲＵの各々から受信された前記ＲＡ要求の少なくとも１つは、ハンドオーバ（ＨＯ）レンジングコードであることを特徴とする請求項６に記載の方法。
【請求項９】
前記レンジング領域の中において前記複数のＷＴＲＵの各々から受信された前記ＲＡ要求の少なくとも１つは、初期レンジングコードであり、
前記レンジング領域の中において前記複数のＷＴＲＵの各々から受信された前記ＲＡ要求の少なくとも１つは、ハンドオーバ（ＨＯ）レンジングコードであり、および、
前記集約ＲＡ応答メッセージは、前記初期レンジングコードおよび前記ＨＯレンジングコードのすべてへの応答を含んでいること
を特徴とする請求項６に記載の方法。
【請求項１０】
前記レンジング領域は、周期的レンジング領域であることを特徴とする請求項６に記載の方法。
【請求項１１】
無線送受信ユニット（ＷＴＲＵ）において、
レンジング領域の中において、基地局（ＢＳ）へ、ランダムアクセス（ＲＡ）要求を送信するよう構成された送信ユニットと、
前記ＢＳによって、前記レンジング領域の中において送信され、成功裏に受信されおよび復号されたすべての他のＲＡ要求と同様に前記ＲＡ要求への応答を含んでいる集約ＲＡ応答メッセージを受信するよう構成された受信ユニットと、
前記集約ＲＡ応答メッセージが、前記ＷＴＲＵが前記ＢＳへ送信した前記ＲＡ要求に対応するＲＡ応答を含んでいるかどうかを決定することによって、前記ＷＴＲＵが前記ＢＳへ送信をした前記ＲＡ要求が成功裏に受信されたかどうかを決定するよう構成された処理ユニットと
を備えたことを特徴とするＷＴＲＵ。
【請求項１２】
前記レンジング領域の中において前記ＷＴＲＵによって送信された前記ＲＡ要求および前記ＢＳへ送信された前記他のＲＡ要求の少なくとも１つは、初期レンジングコードであることを特徴とする請求項１１に記載のＷＴＲＵ。
【請求項１３】
前記レンジング領域の中において前記ＷＴＲＵによって送信された前記ＲＡ要求および前記ＢＳへ送信された前記他のＲＡ要求の少なくとも１つは、ハンドオーバ（ＨＯ）レンジングコードであることを特徴とする請求項１１に記載のＷＴＲＵ。
【請求項１４】
前記レンジング領域の中において前記ＷＴＲＵによって送信された前記ＲＡ要求および前記ＢＳへ送信された前記他のＲＡ要求の少なくとも１つは、初期レンジングコードであり、
前記レンジング領域の中において前記ＷＴＲＵによって送信された前記ＲＡ要求および前記ＢＳへ送信された前記他のＲＡ要求の少なくとも１つは、ハンドオーバ（ＨＯ）レンジングコードであり、ならびに、
前記集約ＲＡ応答メッセージは、前記初期レンジングコードおよび前記ＨＯレンジングコードのすべてへの応答を含んでいること
を特徴とする請求項１１に記載のＷＴＲＵ。
【請求項１５】
前記レンジング領域は、周期的レンジング領域であることを特徴とする請求項１１に記載のＷＴＲＵ。
【請求項１６】
無線送受信ユニット（ＷＴＲＵ）において実施される、ランダムアクセス（ＲＡ）の方法において、
レンジング領域の中において、基地局（ＢＳ）へ、ＲＡ要求を送信するステップと、
前記ＢＳによって、前記レンジング領域の中において送信され、成功裏に受信されおよび復号されたすべての他のＲＡ要求と同様に前記ＲＡ要求への応答を含んでいる集約ＲＡ応答メッセージを受信するステップと、
前記集約ＲＡ応答メッセージが、前記ＷＴＲＵが前記ＢＳへ送信した前記ＲＡ要求に対応するＲＡ応答を含んでいるかどうかを決定することによって、前記ＷＴＲＵが前記ＢＳへ送信をした前記ＲＡ要求が成功裏に受信されたかどうかを決定するステップと
を備えることを特徴とする方法。
【請求項１７】
前記レンジング領域の中において前記ＷＴＲＵによって送信された前記ＲＡ要求および前記ＢＳへ送信された前記他のＲＡ要求の少なくとも１つは、初期レンジングコードであることを特徴とする請求項１６に記載の方法。
【請求項１８】
前記レンジング領域の中において前記ＷＴＲＵによって送信された前記ＲＡ要求および前記ＢＳへ送信された前記他のＲＡ要求の少なくとも１つは、ハンドオーバ（ＨＯ）レンジングコードであることを特徴とする請求項１６に記載の方法。
【請求項１９】
前記レンジング領域の中において前記ＷＴＲＵによって送信された前記ＲＡ要求および前記ＢＳへ送信された前記他のＲＡ要求の少なくとも１つは、初期レンジングコードであり、
前記レンジング領域の中において前記ＷＴＲＵによって送信された前記ＲＡ要求および前記ＢＳへ送信された前記他のＲＡ要求の少なくとも１つは、ハンドオーバ（ＨＯ）レンジングコードであり、ならびに、
前記集約ＲＡ応答メッセージは、前記初期レンジングコードおよび前記ＨＯレンジングコードのすべてへの応答を含んでいること
を特徴とする請求項１６に記載の方法。
【請求項２０】
前記レンジング領域は、周期的レンジング領域であることを特徴とする請求項１６に記載の方法。